(57)【要約】【課題】  圧力調理容器自体にクリーニングピンの収納部を設けてクリーニングピンの紛失を防止すると共に、調圧弁や安全弁のノズル部の掃除を容易に行えるようにすること。【解決手段】  鍋本体１を閉塞する蓋体４と、容器内の圧力を調整する調圧弁７及び容器内が所定圧以上時に作動する安全弁８と、蓋体の中央部に立設するロッド５と、その両端が鍋本体の対向する部位に装着された受け金具２０に係合可能なアーム１０と、ロッドに設けられたねじ部５ａに螺合するスリーブ６に係合し、かつ、スリーブと共働してアームを昇降可能に支持するハンドル３０とを具備する圧力調理容器において、ハンドルは、収納凹部３６を有するハンドル本体３４と、このハンドル本体の収納凹部の開口部を開閉可能に閉塞する蓋３７とを具備し、収納凹部内に、調圧弁及び安全弁を掃除するためのクリーニングピン７０Ａを収納可能に形成する。【選択図】        図２
2006006583.tif 000002
【特許請求の範囲】
【請求項１】
容器本体と、この容器本体を閉塞する蓋体と、この蓋体に設けられ、容器内の圧力を調整する調圧弁及び、容器内が所定圧以上時に作動する安全弁と、蓋体の中央部に立設するロッドと、その両端が上記容器本体の対向する部位に装着された受け金具に係合可能なアームと、上記ロッドに設けられたねじ部に螺合するスリーブに係合し、かつ、スリーブと共働してアームを昇降可能に支持するハンドルとを具備する圧力調理容器において、
上記ハンドルは、収納凹部を有するハンドル本体と、このハンドル本体の収納凹部の開口部を開閉可能に閉塞する蓋とを具備し、上記収納凹部内に、上記調圧弁及び安全弁を掃除するためのクリーニングピンを収納可能に形成してなる、ことを特徴とする圧力調理容器。
【請求項２】
請求項１記載の圧力調理容器において、
上記蓋とハンドル本体とをヒンジを介して開閉可能に連結してなる、ことを特徴とする圧力調理容器。
【請求項３】
請求項２記載の圧力調理容器において、
上記ヒンジを、蓋又はハンドル本体のいずれか一方に突設されるヒンジピンと、他方に設けられてヒンジピンを回動自在に支承するヒンジ受けとで構成し、上記ヒンジ受けに、上記蓋が過度に開放された際に上記ヒンジピンの支承を解除して蓋を取り外す切欠きを設けてなる、ことを特徴とする圧力調理容器。
【請求項４】
請求項１記載の圧力調理容器において、
上記蓋と収納凹部の開口部とを、パッキンを介して気水密に、かつ、着脱可能に嵌合すると共に、蓋とハンドル本体とを可撓性を有する索条を介して連結してなる、ことを特徴とする圧力調理容器。
【請求項５】
請求項１記載の圧力調理容器において、
上記蓋の下部に、収納凹部内に挿入可能な支持片を設け、この支持片に載置した状態でクリーニングピンを収納凹部内に収納可能に形成してなる、ことを特徴とする圧力調理容器。
【請求項６】
請求項１記載の圧力調理容器において、
上記蓋とハンドル本体とを着脱可能に螺合すると共に、蓋とハンドル本体とを可撓性を有する索条を介して連結してなる、ことを特徴とする圧力調理容器。
【請求項７】
請求項１記載の圧力調理容器において、
上記ハンドル本体における収納凹部の開口部に、一端が開口する一対の凹条又は凸条を形成し、上記蓋の両側辺に、上記凹条又は凸条に摺動可能に嵌合する係合凸条又は係合凹条を形成して、蓋を開閉摺動可能に形成してなる、ことを特徴とする圧力調理容器。
【請求項８】
請求項１記載の圧力調理容器において、
上記蓋とハンドル本体とを枢支ピンを介して連結して、蓋を収納凹部の開口部の開口面に対して平行に開閉回転可能に形成してなる、ことを特徴とする圧力調理容器。
【請求項９】
請求項１，２，４ないし８のいずれかに記載の圧力調理容器において、
上記ハンドル本体の収納凹部の底部に、１又は複数の水抜き孔を設けてなる、ことを特徴とする圧力調理容器。
【請求項１０】
請求項１，２，４ないし９のいずれかに記載の圧力調理容器において、
上記ハンドル本体の収納凹部に、クリーニングピンを着脱可能に保持する保持部を設けてなる、ことを特徴とする圧力調理容器。
【請求項１１】
容器本体と、この容器本体を閉塞する蓋体と、この蓋体に設けられ、容器内の圧力を調整する調圧弁及び、容器内が所定圧以上時に作動する安全弁と、蓋体の中央部に立設するロッドと、その両端が上記容器本体の対向する部位に装着された受け金具に係合可能なアームと、上記ロッドに設けられたねじ部に螺合するスリーブに係合し、かつ、スリーブと共働してアームを昇降可能に支持するハンドルとを具備する圧力調理容器において、
上記ハンドルは、収納凹部を有するハンドル本体と、このハンドル本体の収納凹部内に挿脱可能に挿入される内ケースとを具備し、
上記内ケースを、第２の収納凹部を有する内ケース本体と、この内ケース本体の第２の収納凹部の開口部を開閉する内蓋とで構成すると共に、第２の収納凹部内に、上記調圧弁及び安全弁を掃除するためのクリーニングピンを収納可能に形成してなる、ことを特徴とする圧力調理容器。
【請求項１２】
請求項１１記載の圧力調理容器において、
上記内ケースの第２の収納凹部に、クリーニングピンを着脱可能に保持する保持部を設けてなる、ことを特徴とする圧力調理容器。
【発明の詳細な説明】
【技術分野】
【０００１】
この発明は、例えば鍋や炊飯釜等の圧力調理容器に関するものである。
【背景技術】
【０００２】
従来、この種の圧力調理容器として、容器本体を閉塞する蓋体の中央部に立設するロッドと、その両端が上記容器本体の対向する部位に装着された受け金具に係合可能な断面略逆Ｕ字状のアームと、上記ロッドに設けられたねじ部に螺合するスリーブに係合し、かつ、スリーブと共働してアームを支持するハンドルとを具備し、ハンドルの回転により上記アームを昇降させて、アームの端部を受け金具に係合した状態で使用する圧力調理容器が知られている（例えば、特許文献１参照）。
【０００３】
また、この圧力調理容器には、調理時の容器内の圧力を調整する重り付きの調圧弁と、容器内が異常高圧時に作動する安全弁とが設けられている。
【特許文献１】特開平５−１６８５５３号公報 （特許請求の範囲、図１）
【発明の開示】
【発明が解決しようとする課題】
【０００４】
ところで、この種の圧力調理容器を安全に使用するためには、調圧弁や安全弁のノズル部を掃除する必要がある。この場合、調圧弁や安全弁のノズルの汚れや詰まりを取り除くためにクリーニングピンが一般に便利とされている。
【０００５】
しかしながら、クリーニングピンは小さい部材であるため、不使用時の保管場所に注意しないと紛失することがあり、調圧弁や安全弁のノズル部を掃除することができなくなる虞がある。
【０００６】
この発明は、上記事情に鑑みてなされたもので、圧力調理容器自体にクリーニングピンの収納部を設けてクリーニングピンの紛失を防止すると共に、調圧弁や安全弁のノズル部の掃除を容易に行えるようして、圧力調理容器を安全に使用できるようにすることを課題とする。
【課題を解決するための手段】
【０００７】
上記目的を達成するために、この発明の圧力調理容器は、容器本体と、この容器本体を閉塞する蓋体と、この蓋体に設けられ、容器内の圧力を調整する調圧弁及び、容器内が所定圧以上時に作動する安全弁と、蓋体の中央部に立設するロッドと、その両端が上記容器本体の対向する部位に装着された受け金具に係合可能なアームと、上記ロッドに設けられたねじ部に螺合するスリーブに係合し、かつ、スリーブと共働してアームを昇降可能に支持するハンドルとを具備する圧力調理容器において、  上記ハンドルは、収納凹部を有するハンドル本体と、このハンドル本体の収納凹部の開口部を開閉可能に閉塞する蓋とを具備し、上記収納凹部内に、上記調圧弁及び安全弁を掃除するためのクリーニングピンを収納可能に形成してなる、ことを特徴とする（請求項１）。
【０００８】
この発明において、上記蓋とハンドル本体とをヒンジを介して開閉可能に連結することができる（請求項２）。この場合、上記ヒンジを、蓋又はハンドル本体のいずれか一方に突設されるヒンジピンと、他方に設けられてヒンジピンを回動自在に支承するヒンジ受けとで構成し、上記ヒンジ受けに、上記蓋が過度に開放された際に上記ヒンジピンの支承を解除して蓋を取り外す切欠きを設けておく方が好ましい（請求項３）。
【０００９】
また、上記蓋と収納凹部の開口部とを、パッキンを介して気水密に、かつ、着脱可能に嵌合すると共に、蓋とハンドル本体とを可撓性を有する索条を介して連結するようにしてもよい（請求項４）。
【００１０】
また、上記蓋の下部に、収納凹部内に挿入可能な支持片を設け、この支持片に載置した状態でクリーニングピンを収納凹部内に収納可能に形成してもよい（請求項５）。
【００１１】
また、上記蓋とハンドル本体とを着脱可能に螺合すると共に、蓋とハンドル本体とを可撓性を有する索条を介して連結してもよい（請求項６）。
【００１２】
また、上記ハンドル本体における収納凹部の開口部に、一端が開口する一対の凹条又は凸条を形成し、上記蓋の両側辺に、上記凹条又は凸条に摺動可能に嵌合する係合凸条又は係合凹条を形成して、蓋を開閉摺動可能に形成してもよい（請求項７）。
【００１３】
更には、上記蓋とハンドル本体とを枢支ピンを介して連結して、蓋を収納凹部の開口部の開口面に対して平行に開閉回転可能に形成してもよい（請求項８）。
【００１４】
また、上記ハンドル本体の収納凹部の底部に、１又は複数の水抜き孔を設ける方が好ましい（請求項９）。
【００１５】
また、上記ハンドル本体の収納凹部に、クリーニングピンを着脱可能に保持する保持部を設ける方が好ましい（請求項１０）。
【００１６】
請求項１１記載の発明は、  容器本体と、この容器本体を閉塞する蓋体と、この蓋体に設けられ、容器内の圧力を調整する調圧弁及び、容器内が所定圧以上時に作動する安全弁と、蓋体の中央部に立設するロッドと、その両端が上記容器本体の対向する部位に装着された受け金具に係合可能なアームと、上記ロッドに設けられたねじ部に螺合するスリーブに係合し、かつ、スリーブと共働してアームを昇降可能に支持するハンドルとを具備する圧力調理容器において、  上記ハンドルは、収納凹部を有するハンドル本体と、このハンドル本体の収納凹部内に挿脱可能に挿入される内ケースとを具備し、  上記内ケースを、第２の収納凹部を有する内ケース本体と、この内ケース本体の第２の収納凹部の開口部を開閉する内蓋とで構成すると共に、第２の収納凹部内に、上記調圧弁及び安全弁を掃除するためのクリーニングピンを収納可能に形成してなる、ことを特徴とする。この発明において、上記内ケースの第２の収納凹部に、クリーニングピンを着脱可能に保持する保持部を設ける方が好ましい（請求項１２）。
【発明の効果】
【００１７】
（１）請求項１，２，４〜８記載の発明によれば、圧力調理容器の蓋体に装着されるハンドルに設けられた収納凹部内にクリーニングピンを収納することができるので、クリーニングピンの紛失を防止することができる。したがって、クリーニングピンを用いて調圧弁及び安全弁のノズルの掃除を容易に行うことができ、調圧弁及び安全弁の機能を維持した状態にして圧力調理容器の安全面を確保することができる。
【００１８】
（２）請求項３記載の発明によれば、蓋とハンドル本体とを開閉可能に連結するヒンジを、蓋又はハンドル本体のいずれか一方に突設されるヒンジピンと、他方に設けられてヒンジピンを回動自在に支承するヒンジ受けとで構成し、ヒンジ受けに、蓋が過度に開放された際にヒンジピンの支承を解除して蓋を取り外す切欠きを設けることにより、過度な力で蓋が開放されたときに、蓋やヒンジ部が破損するのを防止することができる。
【００１９】
（３）請求項９記載の発明によれば、ハンドル本体の収納凹部の底部に、１又は複数の水抜き孔を設けることにより、収納凹部内に侵入した液を水抜き孔から外部に排出することができると共に、ロッドから取り外されたハンドルを洗浄する際に洗浄液を水抜き孔から排出することができる。したがって、収納凹部内に侵入した液の残留による腐食や黴等の発生を防止することができると共に、洗浄後の水切りを良好にすることができる。
【００２０】
（４）請求項１０，１２記載の発明によれば、収納凹部に、クリーニングピンを着脱可能に保持する保持部を設けることにより、ハンドルの回転によりクリーニングピンが収納凹部内で移動するのを防止することができる。また、特に、複数のクリーニングピンの収納を容易にすることができる。
【００２１】
（５）請求項１１記載の発明によれば、ハンドル本体の収納凹部内に挿脱可能に挿入される内ケースを、第２の収納凹部を有する内ケース本体と、この内ケース本体の第２の収納凹部の開口部を開閉する内蓋とで構成すると共に、第２の収納凹部内に、クリーニングピンを収納可能に形成することにより、内ケースをハンドルから取り出して、クリーニングピンを使用することができるので、上記（１）に加えて更に、クリーニングピンの使用を容易にすることができる。また、内ケースをハンドルから取り出して保管することができるので、圧力調理容器以外の場所においてもクリーニングピンを紛失させることなく保管することができる。
【発明を実施するための最良の形態】
【００２２】
以下に、この発明を実施するための最良の実施形態について添付図面に基づいて説明する。ここでは、圧力調理容器を圧力鍋に適用した場合について説明する。
【００２３】
＜第１実施形態＞
図１は、この発明に係る圧力調理容器である圧力鍋の第１実施形態を示す断面図、図２は、図１のＩ−Ｉ線に沿う断面図である。
【００２４】
上記圧力鍋は、容器本体である鍋本体１と、鍋本体１の開口部２をパッキン３を介して閉塞する蓋体４と、蓋体４の中央部に立設するロッド５と、その両端が鍋本体１の対向する部位に装着された一対の受け金具２０に係合可能なアーム１０と、ロッド５に設けられた雄ねじ部５ａに螺合するスリーブ６に係合し、かつ、スリーブ６と共働してアーム１０を昇降可能に支持するハンドル３０とを具備し、ハンドル３０の回転によりアーム１０が昇降されて、受け金具２０に係合されるように構成されている。
【００２５】
また、蓋体４には、調理時の容器内の圧力を調整する重り付きの調圧弁７と、容器内が異常高圧時に作動する安全弁８とが設けられている。また、鍋本体１の対向する両壁には把手９が固着されている。
【００２６】
上記アーム１０は、図１及び図２に示すように、断面略逆Ｕ字状のステンレス製のチャンネル部材にて形成されており、両端部１１の上面が平坦状に形成され、中央部１２が上方に向かって緩やかに屈曲するアーチ状に形成されている。この場合、アーム１０の端部１１の平坦部には、アーム１０の長手方向と直交する方向に延びる長孔状の係止孔１３が穿設されており、平坦状の上面に連なる両側部１４が凸円弧状に形成されている。また、アーム１０の中央部１２には、角孔１５が穿設されている。
【００２７】
上記ロッド５は、蓋体４及び蓋体４の中央部に固定された補強板４ａに設けられた貫通孔４ｂを、上方から貫通して下方に突出するねじ部にナット５１を螺合して立設固定され、下部の大径部５２に雄ねじ部５ａが設けられた段付きシャフトにて形成されている。
【００２８】
上記のように形成されるロッド５の大径部５２に設けられた雄ねじ部５ａには、アーム１０を支持する段付きスリーブ６が螺合されており、上部の小径部５３には、ハンドル３０の回転によるアーム１０の上限位置以上の上昇を防止するクラッチ機構４０を介してハンドル３０が着脱可能に嵌合され、ロッド５の上端部に設けられた雌ねじ部に螺着する止めねじ５５によってハンドル３０が固定されるようになっている。
【００２９】
この場合、クラッチ機構４０は、段付きスリーブ６の上端部に配設されるコイルスプリング４１と、ロッド５に摺動可能に嵌挿されてコイルスプリング４１の上端部に当接し、かつ、上面に放射状の凹凸歯（図示せず）を有する円形状の下部ラチェット板４２と、ロッド５を貫通しコイルスプリング４１を圧縮した状態で下部ラチェット板４２に係合する止めピン（図示せず）と、下面に下部ラチェット板４２の凹凸歯に噛合する放射状の凹凸歯（図示せず）を有し、かつ、止めピンを摺動自在に嵌合する溝（図示せず）を有してロッド５に回転可能に係合される四角形状の上部ラチェット板４３と、ロッド５に嵌合されて上部ラチェット板４４の上方への移動を規制する止め輪（図示せず）とで構成されている。
【００３０】
上記ハンドル３０は、クラッチ機構４０の上部ラチェット板４３に係合する四角穴３１を有する筒状のボス部３２と、ボス部３２の上部から外方に延在する略矩形状の摘み部３３とを一体に形成したプラスチック製部材にて形成されるハンドル本体３４と、ヒンジ３５を介してハンドル本体３４の摘み部３３に形成された収納凹部３６の開口部３６ａを開閉するプラスチック製の蓋３７とで主に構成されている。
【００３１】
この場合、収納凹部３６は、中央部にボス部３２から上方に膨隆する筒状部３６ｂを残して凹状に形成されており、この収納凹部３６内に、上記調圧弁７及び安全弁８のノズルを掃除するための２種類のクリーニングピン７０Ａ，７０Ｂを着脱可能に保持する保持部３８が設けられている（図３参照）。このように、収納凹部３６内に、クリーニングピン７０Ａ，７０Ｂを着脱可能に保持する保持部３８を設けることにより、収納凹部３６内へのクリーニングピン７０Ａ，７０Ｂの収まりを良好にすることができると共に、クリーニングピン７０Ａ，７０Ｂの取り出しを容易にすることができる。また、収納凹部３６内にクリーニングピン７０Ａ，７０Ｂを収納した状態でハンドル３０を回転しても、クリーニングピン７０Ａ，７０Ｂは保持部３８によって保持されて移動することがないので、ハンドル３０の回転操作時にクリーニングピン７０Ａ，７０Ｂの移動によるガタツキ音や振動等の違和感がない。
【００３２】
なお、一方のクリーニングピン７０Ａは、調圧弁７及び安全弁８のノズル孔内に挿入可能なピン７０ａの先端部にロール状のブラシ７０ｂを設けた形状に形成されており、他方のクリーニングピン７０Ｂは、調圧弁７及び安全弁８のノズル孔に連通するスリット（図示せず）内に挿入されるピン７０ｃの先端部の一側に帯状のブラシ７０ｄを設けた形状に形成されている。
【００３３】
また、筒状部３６ｂの底部には、上記止めねじ５５が貫挿する透孔３６ｃが設けられており、筒状部３６ｂの底部に止めねじ５５の頭部が露出している。この止めねじ５５の頭部は、筒状部３６ｂの上端開口部に被着されるキャップ部材３６ｄによって目隠しされている。
【００３４】
また、上記ヒンジ３５は、図３及び図４に示すように、蓋３７の一側辺に間隔をおいて設けられた一対のブラケット３７ａから対向する側に突設されるヒンジピン３７ｂと、ハンドル本体３４に設けられてヒンジピン３７ｂを回動自在に支承するヒンジ受け３４ａとで構成されている。この場合、ヒンジ受け３４ａに、蓋３７が過度に開放された際にヒンジピン３７ｂの支承を解除して蓋３７を取り外す切欠き３９が設けられている（図４参照）。このように、ヒンジ受け３４ａに、ヒンジピン３７ｂの支承を解除して蓋３７を取り外す切欠き３９を設けることにより、蓋３７を開放して、収納凹部３６内からクリーニングピン７０Ａ，７０Ｂを取り出す際に、過度な力Ｆ（図４参照）が蓋３７に加わった際に、ヒンジピン３７ｂが切欠き３９から抜け出して、蓋３７及びヒンジ部が破壊されるのを防止することができる。
【００３５】
なお、上記説明では、蓋３７のブラケット３７ａにヒンジピン３７ｂを突設し、ハンドル本体３４のヒンジ受け３４ａに切欠き３９を設ける場合について説明したが、逆にしてもよい。すなわち、ヒンジ受け３４ａにヒンジピン３７ｂを突設し、蓋３７のブラケット３７ａに切欠き３９を設けるようにしてもよい。
【００３６】
また、図３に示すように、ハンドル本体３４に設けられた収納凹部３６の底部には、１又は複数（図面では、２個の場合を示す）の水抜き孔６０が設けられている。このように、収納凹部３６の底部に水抜き孔６０を設けることにより、収納凹部３６内に侵入する液を水抜き孔６０を介して外部に排出することができるので、収納凹部３６内に液が残留して腐食や黴等を生じるのを防止することができる。また、ロッド５からハンドル３０を取り外して洗浄するときには、洗浄液を水抜き孔６０から外部に排出することができるので、水切りを良好にすることができ、洗浄後のハンドル３０の乾燥時間を短縮することができる。
【００３７】
上記受け金具２０は、図１及び図２に示すように、鍋本体１の側壁部に固定ねじ２１をもって固定される取付片２２と、この取付片２２の上端から外方に延在する傾斜片２３と、傾斜片２３の上端から垂直状に延在する垂直片２４と、垂直片２４の上端から内方側に向かって延在する緩やかなアーチ状に形成されるアーム係止片２５と、アーム係止片２５の先端から垂下する係止舌片２６とを具備している。なお、固定ねじ２１によって受け金具２０と把手９とが固定されている。
【００３８】
また、受け金具２０のアーム係止片２５における蓋体４の中心に対して対角線側に、それぞれアーム１０の移動を規制する側片２７が延在されている。この場合、側片２７は、受け金具２０も正面視において右側に形成されている。
【００３９】
上記のように構成される圧力鍋において、鍋本体１の開口部２に蓋体４を被せ、アーム１０の端部１１を受け金具２０の部位にセットした状態で、ハンドル３０を回転してアーム１０を上昇させると、アーム１０の端部１１が受け金具２０のアーム係止片２５に係合すると共に、係止孔１３内に係止舌片２６が遊嵌して係合可能な状態となる。この際、アーム１０の端部１１を受け金具２０に対して斜めにセットしても、ハンドル３０の回転により、アーム１０の側部が上昇するに伴って受け金具２０の側片２７によって移動が規制されると共に、凹円弧状案内面２８に沿ってアーム係止片２５の中心側に移動し、かつ、基端部及び先端部が円弧状に形成された係止舌片２６がスムーズに係止孔１３側に案内されて係止孔１３内に遊嵌して、係合可能な状態となる。
【００４０】
これにより、使用中の沸騰圧力によってアーム１０が変位しても係止孔１３と係止舌片２６とが噛み合った状態に係合するので、蓋体４が外れ飛ぶのを防止することができる。
【００４１】
上記のように構成される圧力鍋において、調圧弁７や安全弁８のノズルの汚れや詰まりを清掃する場合には、ハンドル３０に設けられた蓋３７を開放して、収納凹部３６内に収納されているクリーニングピン７０Ａ，７０Ｂを取り出し、取り出されたクリーニングピン７０Ａ，７０Ｂによって調圧弁７や安全弁８のノズルを掃除して汚れ，詰まりを除去することができる。したがって、圧力鍋を長期に渡って安全に使用することができる。
【００４２】
なお、掃除を行った後、再びクリーニングピン７０Ａ，７０Ｂを収納凹部３６内に収納、具体的には、クリーニングピン７０Ａ，７０Ｂを保持部３８によって保持した状態で収納して、蓋３７を閉じた状態で、圧力鍋を使用することができる。
【００４３】
＜第２実施形態＞
図５は、この発明におけるハンドルの第２実施形態を示す分解断面図である。
【００４４】
第２実施形態のハンドル３０Ａは、第１実施形態と同様に収納凹部３６を有するハンドル本体３４における開口部３６ａに、蓋３７Ａを気水密かつ着脱可能に嵌合した場合である。
【００４５】
この場合、蓋３７Ａの下部には、収納凹部３６の開口部３６ａ内に嵌挿される環状脚部３７ｃが設けられており、この環状脚部３７ｃの外周に設けられた周溝３７ｄにパッキンとしてのＯリング３７ｅが嵌装されている。このように、蓋３７Ａの環状脚部３７ｃにＯリング３７ｅを取り付けた状態で、蓋３７Ａを収納凹部３６の開口部３６ａに嵌合することにより、蓋３７Ａを気水密に、かつ、着脱可能に嵌合することができる。
【００４６】
なお、この場合、蓋３７Ａの環状脚部３７ｃの内周面の一側に突設された取付片３７ｆと、収納凹部３６の底部に一側に突設された取付片３６ｅにそれぞれ設けられた取付孔３７ｇに取り付けられる可撓性を有する索条例えばチェーン８０を介して蓋３７Ａとハンドル本体３４とが連結されている。このように、蓋３７Ａとハンドル本体３４とをチェーン８０を介して連結することにより、クリーニングピン７０Ａ，７０Ｂを収納凹部３６から取り出すとき、あるいは、クリーニングピン７０Ａ，７０Ｂを収納凹部３６に収納するときに、ハンドル本体３４から蓋３７Ａを取り外した際に、蓋３７Ａが紛失するのを防止することができる。
【００４７】
なお、第２実施形態においては、収納凹部３６に保持部３８が設けられていないが、第１実施形態と同様に、保持部３８を設ける方が好ましい。
【００４８】
なお、第２実施形態において、その他の部分は第１実施形態と同じであるので、同一部分には同一符号を付して、説明は省略する。
【００４９】
＜第３実施形態＞
図６は、この発明におけるハンドルの第３実施形態を示す分解断面図である。
【００５０】
第３実施形態のハンドル３０Ｂは、蓋３７Ｂの下部に、収納凹部３６内に挿入可能な筒部９０ａと、この筒部９０ａの下端から外向きに突出する外向きフランジ部９０ｂとからなる支持片９０を設け、この支持片９０に載置した状態でクリーニングピン７０Ａ，７０Ｂを収納凹部３６内に収納可能に形成した場合である。
【００５１】
このように、蓋３７Ｂの下部に設けた支持片９０によってクリーニングピン７０Ａ，７０Ｂを載置した状態で収納し、支持片９０を収納凹部３６内に挿入可能に形成することにより、蓋３７Ｂをハンドル本体３４の収納凹部３６から引き上げてクリーニングピン７０Ａ，７０Ｂを取り出すことができる。また、使用後には、クリーニングピン７０Ａ，７０Ｂを支持片９０の外向きフランジ部９０ｂ上に載置した状態で支持片９０を収納凹部３６内に挿入してクリーニングピン７０Ａ，７０Ｂを収納凹部３６内に収納することができる。
【００５２】
なお、第３実施形態においては、収納凹部３６に保持部３８が設けられていないが、第１実施形態と同様に、保持部３８を設ける方が好ましい。この場合、支持片９０のフランジ部９０ｂに保持部３８を設ければよい。
【００５３】
なお、第３実施形態において、その他の部分は第１実施形態と同じであるので、同一部分には同一符号を付して、説明は省略する。
【００５４】
＜第４実施形態＞
図７は、この発明におけるハンドルの第４実施形態を示す分解断面図である。
【００５５】
第４実施形態におけるハンドル３０Ｃは、蓋３７Ｃの下部に設けられた筒状脚部９１の外周に設けられた雄ねじ部９１ａと、ハンドル本体３４の収納凹部３６の開口部３６ａの内周面に設けられた雌ねじ部９１ｂとを着脱可能に螺合することにより、蓋３７Ｃを開閉可能にした場合である。この場合、蓋３７Ｃとハンドル本体３４とは可撓性を有する索条例えばチェーン８０を介して連結されており、蓋３７Ｃの開放時に蓋３７Ｃが紛失するのを防止している。
【００５６】
なお、第４実施形態においては、収納凹部３６に保持部３８が設けられていないが、第１実施形態と同様に、保持部３８を設ける方が好ましい。
【００５７】
なお、第４実施形態において、その他の部分は第１実施形態と同じであるので、同一部分には同一符号を付して、説明は省略する。
【００５８】
＜第５実施形態＞
図８は、この発明におけるハンドルの第５実施形態を示す斜視図（ａ）及び一部断面図（ｂ）である。
【００５９】
第５実施形態のハンドル３０Ｄは、ハンドル本体３４における収納凹部３６の開口部３６ａに、一端が開口する一対の凹条９２を形成し、蓋３７Ｄの両側辺に、凹条９２に摺動可能に嵌合する係合凸条９３を形成して、蓋３７Ｄを開閉摺動可能に形成した場合である。
【００６０】
このように構成することにより、蓋３７Ｄをハンドル本体３４の一側方にスライドさせて蓋３７Ｄを開放することができ、収納凹部３６内に収納されているクリーニングピン７０Ａ，７０Ｂを取り出すことができる。
【００６１】
なお、上記説明では、収納凹部３６の開口部３６ａに、一端が開口する一対の凹条９２を形成し、蓋３７Ｄの両側辺に、凹条９２に摺動可能に嵌合する係合凸条９３を形成した場合について説明したが、逆にしてもよい。すなわち、収納凹部３６の開口部３６ａに、一端が開口する一対の凸条を形成し、蓋３７Ｄの両側辺に、凸条に摺動可能に嵌合する係合凹条を形成してもよい。
【００６２】
なお、第５実施形態においては、収納凹部３６に保持部３８が設けられていないが、第１実施形態と同様に、保持部３８を設ける方が好ましい。
【００６３】
なお、第５実施形態において、その他の部分は第１実施形態と同じであるので、同一部分には同一符号を付して、説明は省略する。
【００６４】
＜第６実施形態＞
図９は、この発明におけるハンドルの第６実施形態を示す斜視図である。
【００６５】
第６実施形態のハンドル３０Ｅは、蓋３７Ｅとハンドル本体３４とを枢支ピン９４を介して連結して、蓋３７Ｅを開閉回転可能に形成した場合である。この場合、矩形状に形成されるハンドル本体３４の開口部３６ａの角部又は矩形状に形成される蓋３７Ｅの角部のいずれか一方に突設される枢支ピン９４を、他方に設けられた軸孔（図示せず）に回転自在に嵌挿することにより、蓋３７Ｅを収納凹部３６の開口部３６ａの開口面に対して平行に開閉回転可能にすることができる。なお、蓋３７Ｅを閉塞状態に確実に保持するためにストッパ機構を設ける方が好ましい。例えば、図９に二点鎖線で示すように、蓋３７Ｅの自由端側の側辺に設けられ、外方に向かって開口する係止溝９５と、ハンドル本体３４の開口部３６ａの近傍に突設されるストッパピン９６と、を係合可能に形成して、ストッパ機構を構成することができる。
【００６６】
なお、枢支ピン９４と軸孔との間にベアリングを介在させれば、蓋３７Ｅの開閉操作を円滑にすることができる。
【００６７】
このように構成することにより、蓋３７Ｅを収納凹部３６の開口部３６ａの開口面に対して平行に回転させて開放した状態で、収納凹部３６内に収納されているクリーニングピン７０Ａ，７０Ｂを取り出すことができる。
【００６８】
なお、第６実施形態においては、収納凹部３６に保持部３８が設けられていないが、第１実施形態と同様に、保持部３８を設ける方が好ましい。
【００６９】
なお、第６実施形態において、その他の部分は第１実施形態と同じであるので、同一部分には同一符号を付して、説明は省略する。
【００７０】
＜第７実施形態＞
図１０は、この発明におけるハンドルの第７実施形態を示す分解斜視図である。
【００７１】
第７実施形態のハンドル３０Ｆは、収納凹部３６を有するハンドル本体３４と、ハンドル本体３４の収納凹部３６内に挿脱可能に挿入される内ケース１００とを具備し、内ケース１００に設けられた第２の収納凹部１０１内にクリーニングピン７０Ａ，７０Ｂを収納可能にした場合である。
【００７２】
この場合、内ケース１００は、第２の収納凹部１０１を有する内ケース本体１０２と、この内ケース本体１０２の第２の収納凹部１０１の開口部１０１ａにヒンジ１０４を介して開閉可能に装着される内蓋１０３とで構成されており、第２の収納凹部１０１内に、クリーニングピン７０Ａ，７０Ｂが収納可能に形成されている。なお、内ケース本体１０２の底部には、ハンドル本体３４の収納凹部３６内に突出する筒状部３６ｂを内挿するする断面略逆Ｕ字状の嵌挿凹部１０２ａが設けられている。
【００７３】
なお、内ケース１００の第２の収納凹部１０１に、クリーニングピン７０Ａ，７０Ｂを着脱可能に保持する保持部３８が設けられている。
【００７４】
このように構成することにより、ハンドル本体３４の収納凹部３６内に内ケース１００を挿入した状態で内蓋１０３を開放して、第２の収納凹部１０１内に収納されているクリーニングピン７０Ａ，７０Ｂを取り出すことができる。また、ハンドル本体３４の収納凹部３６内から内ケース１００を取り出した後、内蓋１０３を開放して、クリーニングピン７０Ａ，７０Ｂを取り出すことができる。
【００７５】
また、内ケース１００の第２の収納凹部１０１内にクリーニングピン７０Ａ，７０Ｂを収納することができるので、内ケース１００をハンドル３０から取り出した状態においても、クリーニングピン７０Ａ，７０Ｂを紛失させることなく安全に保管することができる。
【００７６】
なお、内蓋１０３のヒンジ１０４を構成するヒンジ受け１０５に、第１実施形態で示したのと同様に、ヒンジピン（図示せず）の支承を解除して内蓋１０３を取り外す切欠き１０６を設けることにより、内蓋１０３を開放して、第２の収納凹部１０１内からクリーニングピン７０Ａ，７０Ｂを取り出す際に、過度な力が内蓋１０３に加わっても内蓋１０３及びヒンジ部が破壊されるのを防止するようにしておく方が好ましい。
【００７７】
なお、第７実施形態において、その他の部分は第１実施形態と同じであるので、同一部分には同一符号を付して、説明は省略する。
【００７８】
＜その他の実施形態＞
上記実施形態では、アーム１０の端部１１に係止孔１３を設け、受け金具２０のアーム係止片２５には、係止孔１３に係合可能な係止舌片２６を設ける場合について説明したが、受け金具２０のアーム係止片２５に係止孔１３を設け、アーム１０の端部１１に係止舌片２６を設けるようにしてもよい。
【００７９】
また、この発明に係る圧力調理容器は、上記係止孔と係止舌片を有しない構造の圧力調理容器にも適用できることは勿論である。
【図面の簡単な説明】
【００８０】
【図１】この発明に係る圧力調理容器の一例を示す断面図である。
【図２】図１のＩ−Ｉ線に沿う断面図である。
【図３】この発明におけるハンドルの第１実施形態を示す斜視図である。
【図４】第１実施形態における蓋に過度な力が掛かった状態を示す側面図（ａ）、蓋が外れた状態を示す側面図（ｂ）及びヒンジピンと切欠きを示す断面図（ｃ）である。
【図５】この発明におけるハンドルの第２実施形態を示す分解断面図である。
【図６】この発明におけるハンドルの第３実施形態を示す分解断面図である。
【図７】この発明におけるハンドルの第４実施形態を示す分解断面図である。
【図８】この発明におけるハンドルの第５実施形態を示す斜視図（ａ）及び一部断面図（ｂ）である。
【図９】この発明におけるハンドルの第６実施形態を示す斜視図である。
【図１０】この発明におけるハンドルの第７実施形態を示す分解斜視図である。
【符号の説明】
【００８１】
１  鍋本体（容器本体）
４  蓋体
５  ロッド
６  スリーブ
７  調圧弁
８  安全弁
１０  アーム
１１  端部
２０  受け金具
３０，３０Ａ〜３０Ｆ  ハンドル
３４  ハンドル本体
３４ａ  ヒンジ受け
３５  ヒンジ
３６  収納凹部
３６ａ  開口部
３７，３７Ａ〜３７Ｅ  蓋
３７ａ  ブラケット
３７ｅ  Ｏリング（パッキン）
３８  保持部
３９  切欠き
６０  水抜き孔
７０Ａ，７０Ｂ  クリーニングピン
９０  支持片
９１  筒状脚部
９１ａ  雄ねじ部
９１ｂ  雌ねじ部
９２  凹条
９３  係合凸条
９４  枢支ピン
１００  内ケース
１０１  第２の収納凹部
１０２  内ケース本体
１０３  内蓋
１０４  ヒンジ
１０５  ヒンジ受け
１０６  切欠き
【図１】
2006006583.tif 000003
【図２】
2006006583.tif 000004
【図３】
2006006583.tif 000005
【図４】
2006006583.tif 000006
【図５】
2006006583.tif 000007
【図６】
2006006583.tif 000008
【図７】
2006006583.tif 000009
【図８】
2006006583.tif 000010
【図９】
2006006583.tif 000011
【図１０】
2006006583.tif 000012